(57)【要約】【課題】  津波、洪水、地震は勿論、火災や土砂崩れや自動車の飛び込み等の被害にも対応でき、日常の生活にも支障なく使用することができる避難シェルタ付きの家屋を提供する。【解決手段】  屋内の一室として兼用可能な避難シェルタＨ１が浮上可能に家屋１に設けられており、津波や豪雨の非常時は侵入した水に浮いて上方に移動可能な空間部Ｓ１が家屋１に設けられている。空間部Ｓ１としては、吹き抜けや中庭など、或いは、階段４のある部屋などを利用して避難シェルタＨ１を組み立てると、敢えて空間部Ｓ１を設けなくともよく、また、壁９や床６ｂや天井３ａの内部に隠れるようにして避難シェルタＨ１を組み立てることもできる。【選択図】  図１
2018017114.tif 000002
【特許請求の範囲】
【請求項１】
地震、津波、豪雨、洪水や、火災、土砂崩れ等の被害から人命を守る避難シェルタを備えた家屋であって、屋内の一室として兼用可能な避難シェルタが浮上可能に設けられており、津波や豪雨の非常時は侵入した水に浮いて上方に移動可能な空間部が家屋に設けられていることを特徴とする避難シェルタ付きの家屋。
【請求項２】
前記避難シェルタは、鋼鉄製等の強度の高い材質の床板と天板と側壁板とこれらを連結する柱を備え、家屋を建造するときに配置されるか、完成している家屋の内部において連結されて組み立てられるか、又は、家屋の床や天井の内部や壁の内部を利用して連結されて組み立てられるか、或いは、家屋の各部屋の内側に接するように配置される二重構造の部屋として構成されていることを特徴とする請求項１記載の避難シェルタ付きの家屋。
【請求項３】
前記家屋は、木造であり、前記避難シェルタは木造の木材よりも強度の高い鋼鉄製の密閉構造であり、出入り口は密閉構造の出入り口が設けられていることを特徴とする請求項１又は２記載の避難シェルタ付きの家屋。
【請求項４】
前記家屋は上方階を有する複数階構造であり、その複数階の最上階の外側の部屋として前記避難シェルタが配置されているか、または、前記家屋は上方階を有する複数階構造であり、前記避難シェルタは、複数階の下方の外側の部屋として配置されており、津波や洪水などの災害時には複数階の上方に移動し易くするための移動用案内壁が設けられていることを特徴とする請求項１ないし３のいずれか１項記載の避難シェルタ付きの家屋。
【請求項５】
前記床板と天板と側壁板は鋼鉄製であり、この鋼鉄製の床板と天板と側壁板に浮力材が取り付けられていることを特徴とする請求項１ないし４のいずれか１項記載の避難シェルタ付きの家屋。
【請求項６】
前記避難シェルタには、台所ユニット、洗面ユニット、及び／又は、移動式トイレユニットが設置され、前記床板には発電設備が配置されるとともに、前記床板には水道や配水管と連結する連結手段が配置されていることを特徴とする請求項１ないし４のいずれか１項記載の避難シェルタ付きの家屋。
【発明の詳細な説明】
【技術分野】
【０００１】
本発明は、津波、地震、洪水や、火災、土砂崩れ等の被害から人命を守る避難シェルタ付きの家屋に関する。
【背景技術】
【０００２】
地震、津波、洪水や土砂崩れ等は大きな災害であるが、隣家の火災や自動車の飛び込み等によっても大切な人命が奪われる危険がある。
これらの災害から人命を守るものとしては避難シェルタがある。避難シェルタの種類としては、種々のものが、特許文献としては、下記のものが開示されている。
【０００３】
特許文献１は、津波、高潮、洪水などの水害が生じた場合の水害避難室として、地下に設置される水害避難室２であって、移動用案内壁２８と、移動用案内壁２８に固定された内壁３２と、昇降可能な床部１６と天井３４とを有する避難空間２０と、床下空間１８と、床下空間に貯留した水によって浮くことにより床部１６を浮かせるためのフロート３０と、地上から避難空間２０に至るまでの進入階段６と、進入階段６と避難空間２０とを連通する開口部１４と、地上に脱出するためのハッチ２６とからなり、水が水害避難室２に流入した場合に床下空間１８に水が浸入しフロート３０によって開口部１４の上端部の高さまで床部１６の上面が上昇して当該上昇した床部１６と内壁３２、及び天井３４とで空気空間が確保される水害避難室が開示されている。
【０００４】
特許文献２は、家屋に対して一体に付設されて該家屋内からの出入りが可能とされてなるシェルタであって、津波来襲時において、家屋からシェルタを分離させるシェルタの分離手段と、家屋から分離されたシェルタを密閉する密閉手段とを具備し、家屋から分離された状態において水に浮くことを特徴とする家屋付設式津波避難用シェルタが開示されている。
【０００５】
特許文献３は、津波対策用シェルタ１は、下側フランジ及び下方凹部を有する略正立椀状の下筐体部２１０と、上側フランジ及び上方凹部を有する略倒立椀状の上筐体部２２０と、を有する筐体２と、下筐体部２１０及び上筐体部２２０の各内部並びに下方凹部及び上方凹部が相対するように下側フランジ及び上側フランジを密着させる固定部３と、下方凹部及び上方凹部より構成される出入口２０６に密着する水密ドア４と、下面部の内側に固定される浮体部とを備える、津波対策用シェルタが開示されている。
【０００６】
特許文献４は、水上、陸上、または水中での随意移動が可能であり、水密性または気密性が保たれ、断熱性、遮音性、または耐火性が付与された独立剛体性パッケージから成る本体に、少なくとも、開閉戸付出入口、情報通信手段、覗き窓手段、空気清浄手段、または、冷房装置が備えられた、普段は日常居住空間として使用され、被災時には避難所となるデイリーライフシェルタが記載されている。
【先行技術文献】
【特許文献】
【０００７】
【特許文献１】特開2013-249725号公報
【特許文献２】特開2007-277998号公報
【特許文献３】特開2015-223973号公報
【特許文献４】国際公開WO2013/018872号公報
【発明の概要】
【発明が解決しようとする課題】
【０００８】
ところで、家屋に対する災害としては、地震、津波、洪水、土砂崩れ等が大きなものであり、これらに対応した家つくりが必要であるが、隣家の火災や自動車の飛び込みや土砂崩れ等に対する対応も考える必要がある。
しかしながら、特許文献１や特許文献２のような構造では、災害時に逃げ込む構造であり、普段は生活する空間として利用しないものであるか、普段は生活に利用できないか（特許文献２）、また、仮に生活ができたとしても、改造等の費用が高額になる構造である（特許文献１）。
一方、特許文献３や特許文献４のような構造では、土砂崩れや隣家の火災や自動車の飛び込み等に対する対応では特段役に立つものではなく、普段は生活では却って邪魔になるおそれを有する（特許文献３と４）。
【０００９】
そこで本発明は、津波、洪水、地震は勿論、火災や土砂崩れや自動車の飛び込み等の被害にも対応できるとともに、日常の生活にも支障なく使用することができるので救命される可能性が高い避難シェルタ付きの家屋を提供する。
【課題を解決するための手段】
【００１０】
本発明は、地震、津波、豪雨、洪水や、火災、土砂崩れ等の被害から人命を守る避難シェルタを備えた家屋であって、屋内の一室として兼用可能な避難シェルタが浮上可能に家屋に設けられており、津波や豪雨の非常時は侵入した水に浮いて上方に移動可能な空間部が家屋に設けられていることを特徴とする。ここで、上方移動の空間は、通常は二階のスペースを利用するが、吹き抜けの空間や、１階部分の上方の空き空間を利用しても良い。また、吹き抜け構造の下方の部屋や中庭などを介して避難シェルタを配置しても良い。避難シェルタは、密閉構造でなくとも、単に浮上する構造だけの、例えば、床材と側壁板で構成されただけの浮上可能な構造でも良い。
本発明によれば、避難シェルタが建物の内部に配置されて、日常生活で使用することができ、建物の補強効果が図られるとともに、火災等に対する補強が図られる。また、屋内の一室として兼用可能な避難シェルタが移動可能に家屋に設けられており、日常の生活にも支障なく使用することができるので、従来のように災害時に移動する必要がない。また、津波や洪水の侵入した水により避難シェルタが浮上して、上方階の空間部に移動できる構造になっている。吹き抜け構造や中庭等を利用して上方階に移動できるが、浮上しやすい家屋構造であるために、速やかに水に浮いて、埋もれてしまうような事態を防止できる。
【００１１】
本発明としては、前記避難シェルタは、鋼鉄製等の強度の高い材質の床板と天板と側壁板とこれらを連結する柱を備え、家屋を建造するときに配置されるか、完成している家屋の内部において連結されて組み立てられるか、又は、家屋の床や天井の内部や壁の内部を利用して連結されて組み立てられるか、或いは、家屋の各部屋の内側に接するように配置される二重構造の部屋として構成されていることを特徴とする。耐火ボード等で二重構造とすることが好ましい。また、各部屋との連結は、離脱フックで連結したり解除したりすることが好ましい。
また、本発明としては、前記家屋は木造であり、前記避難シェルタは木造の木材よりも強度の強い鋼鉄製の密閉構造であり、出入り口は密閉構造の出入り口が設けられていることを特徴とする。家屋を支える柱や壁と、避難シェルタの柱や壁は互いに添わせるように組み立てることが好ましい。木造の木材よりも強度の高い材質とは、鋼鉄製等が適用可能である。
本発明によれば、地震や津波や洪水などで木造の家屋が倒壊しても、木造家屋よりも強度の強い材質（鋼鉄製等）の避難シェルタが配置されているので、避難シェルタ内で居住する限り人命が救われる可能性が高い。鋼鉄製で密閉構造にすることで、浮きやすく（浮力材がなくとも）、土砂で埋められても、掘削機により掘り起こされたときも、損傷するような事態はない。また、家屋と非難シェルタの二重構造となり、頑丈な建造物となる。
また、完成している家屋の内部において連結されて組み立てられることで、又、家屋の柱に沿わせるように避難シェルタの柱や床板と天板と側壁板を添わせるようにしたり、又は、家屋の床や天井の内部や壁の内部を利用して連結されて組み立てられたりすることで、家屋を補強する構造にもなる。
本発明としては、前記家屋は上方階を有する複数階構造であり、その複数階の最上階の外側の部屋として前記避難シェルタが配置されているか、または、前記家屋は上方階を有する複数階構造であり、前記避難シェルタは、複数階の下方の外側の部屋として配置されており、津波や洪水などの災害時には複数階の上方に移動し易くするための移動用案内壁が設けられていることを特徴とする。
本発明によれば、複数階の最上階の外側の部屋として前記避難シェルタが配置されている場合は、洪水や津波が発生した場合には、家の外に避難シェルタを脱出させ易い配置構造である。また、避難シェルタが複数階の下方の外側の部屋として配置されており、津波や洪水などの災害時には複数階の上方に移動し易くするための移動用案内壁を介して浮上させることができる。
【００１２】
本発明としては、前記床板と天板と側壁板は鋼鉄製であり、この鋼鉄製の床材と天板と側壁板に浮力材が取り付けられていることを特徴とする。
本発明によれば、津波や洪水等が生じた時には、浮力材を介して浮きやすくなる。浮きやすくなると、避難シェルタのバランスが失われるおそれがあるが、前記床板には発電設備が配置されていることで、錘との兼用が図られて、バランスが失われる自体を防止する。
【００１３】
本発明としては、前記避難シェルタには、台所ユニット、洗面ユニット、及び／又は、移動式トイレユニットが設置され、前記床板には発電設備が配置されるとともに、前記床板には水道や配水管と連結する連結手段が配置されていることを特徴とする。
本発明によれば、生活に必要な台所ユニット（レンジ付き、冷蔵庫付き）などが配されているので、数日間閉じ込められたとしても、生活ができる。また、台所ユニットなどの水道や配水管との連結は連結手段を介して連結される。なお、連結手段との切り替え手段を設けることが好ましい。
【発明の効果】
【００１４】
本発明によれば、屋内の一室として兼用可能な避難シェルタが移動可能に家屋に設けられており、日常の生活にも支障なく使用することができるので、従来のように災害時に移動する必要がなく、このため、災害時に生命の危険が及ぶ恐れがない。また、家屋と非難シェルタの二重構造となり、家屋の補強が図られ、頑丈な建造物となる。また、津波や洪水の侵入した水により避難シェルタが浮上し易い構造であり、上方階の空間部に移動できる構造であり、津波、洪水、地震のような大きな被害は勿論、火災や土砂崩れや自動車の飛び込み等の被害のような被害のいずれにも対応でき、種々の災害に対して人命救助が可能になる。
【図面の簡単な説明】
【００１５】
【図１】本発明の第１の実施形態である避難シェルタ付きの家屋を示す断面図である。
【図２】本発明の第２の実施形態である避難シェルタ付きの家屋を示す断面図である。
【図３】上記実施形態における避難シェルタ付きの家屋の避難シェルタを説明する図である。
【図４】上記実施形態における避難シェルタ付きの家屋の避難シェルタの移動を説明する図である。
【図５】上記実施形態における避難シェルタ付きの家屋の避難シェルタの移動を説明する図である。
【図６】本発明の第３の実施形態である避難シェルタ付きの家屋を示す斜視図である。
【図７】上記実施形態における避難シェルタ付きの家屋の例を示す側面図である。
【図８】上記実施形態の避難シェルタの組み立て型を説明する斜視図である。
【図９】上記実施形態の避難シェルタの例を説明する斜視図である。
【図１０】上記実施形態の避難シェルタの組み立て方を説明する斜視図である。
【図１１】上記実施形態の避難シェルタの例を説明する斜視図である。
【図１２】上記実施形態の避難シェルタの例を説明する斜視図である。
【図１３】上記実施形態の避難シェルタの例を説明する斜視図である。
【図１４】上記実施形態の避難シェルタの例を説明する斜視図である。
【図１５】上記実施形態の避難シェルタの例を説明する斜視図である。
【図１６】上記実施形態の避難シェルタの例を説明する斜視図である。
【図１７】本発明の第４の実施形態である避難シェルタ付きの家屋を示す側面図である。
【図１８】上記実施形態における避難シェルタ付きの家屋を示す斜視図である。
【図１９】上記実施形態における避難シェルタ付きの家屋の避難シェルタの移動を説明する図である。
【図２０】上記実施形態における避難シェルタ付きの家屋の避難シェルタの移動を説明する図である。
【図２１】上記実施形態の避難シェルタの例を説明する斜視図である。
【図２２】上記実施形態の避難シェルタの例を説明する斜視図である。
【図２３】本発明の第４の実施形態である避難シェルタ付きの家屋を示す図である。
【図２４】本発明の第４の実施形態である避難シェルタ付きの家屋を示す図である。
【図２５】本発明の第５の実施形態である避難シェルタ付きの家屋を示す図である。
【図２６】本発明の第６の実施形態である避難シェルタ付きの家屋を示す図である。
【発明を実施するための形態】
【００１６】
本発明を適用した具体的な実施の形態について、図面を参照しながら以下、詳細に説明する。
【００１７】
（第１の実施の形態）
図１（ａ）は本発明の第１の実施形態である避難シェルタ付きの家屋を示す図であり、図１（ｂ）は上記実施形態の避難シェルタの内部構造図である。
本発明の避難シェルタ付きの家屋１は、木造２階建て構造であり、その１階に避難シェルタＨ１が配置されている。避難シェルタＨ１は、鋼鉄製であり、防火、防水態様になっている。避難シェルタＨ１は、台所として普段使用することを想定しており、台所ユニットＵ１が設置されている。また、移動式トイレユニットＵ２も取り付けれ、その他、ベッドや、備蓄品の収納部や、照明、覗き窓、換気扇、船外機（スクリュー）１２等を備えている。そして、地震や津波等で、木造の家屋１が倒壊したり損傷しても、鋼鉄製陶の避難シェルタＨ１は、損傷したりすることなく、その内部の人命を守るものになっている（図３（ｂ））。
【００１８】
避難シェルタＨ１は、完成している家屋１の内部において連結されて組み立てられる（図８（ａ）（ｂ））。床板ｈ１と天板ｈ４と側壁板（壁）ｈ３とこれらを連結する柱ｈ２を備えて、避難シェルタの柱ｈ３は、家屋１の梁や柱９に当接させるように配置しても良い。このように組み立てることで、家屋１の補強が図られる。完成した家屋の中で組み立てるときは、家屋の柱９や壁と接するように避難シェルタＨ２を構築すると、家屋１の補強構造にもなる（図４（ａ）（ｂ）（ｃ））。
【００１９】
また、津波が来た時の浮上しやすくするために浮力材が天板ｈ４と側壁板（壁）ｈ３等に取付けられている。本実施の形態では、洪水等で浮遊した場合の避難シェルタＨ１のバランスを考慮して、床板ｈ１には浮力材は取付けられているとともに、発電設備や水道や配水管との連結手段５ａ，５ｂが取付けられているが、床板ｈ１に浮力材を取付けても良い。
【００２０】
家屋１の上方移動の空間は、吹き抜け構造の下方の部屋や中庭などを介して避難シェルタを配置すると、効率的である。単に天井の高い部屋で避難シェルタＨを配置したり、組み立てしても良い。玄関や階段設置の場所では、上方空間があるので、その部屋を利用して、避難シェルタＨを配置したり、組み立てしても良い。図１（ａ）において、符号４は階段であり、符号５ａは水道や配水管と連結する連結手段であり、符号５ｂは、発電設備であり、符号Ｆａは浮力材（フロート）である。連結手段５ａは、簡易（仮設）トイレや台所ユニットＵ１の水道や配水管と接続されるが、切り替え手段を備えることが好ましい。
なお、避難シェルタHには、覗き窓１０ａ、換気扇１０ｂ、ハッチ（脱出口）１１や、スクリュー１２を備える。また、避難シェルタＨは、音響設備等のための遮音室（防音材で遮蔽される部屋）を利用して、遮音室の壁材に防音材兼用の浮力材を配置しても良い。
【００２１】
したがって、津波や洪水により、家屋１に水が侵入してきた場合、密閉構造の避難シェルタＨ１が浮上して、１階の上方に浮か上がったり、二階まで浮かび上がったりして、家屋１の側方に設けられた開口部から避難シェルタＨ１が脱出が容易な構造になっている（図１（ａ））。浮上しやすい家屋構造であるために、速やかに水に浮いて、埋もれてしまうような事態を防止できる。上方階の窓側には、避難シェルタＨの脱出口が設けられているが、屋根まで空間部を有する中庭に避難シェルタＨを配置した場合には、上方に浮上したまま外部に脱出することもできる。
【００２２】
（第２の実施の形態）
図２（ａ）は本発明の第１の実施形態である避難シェルタ付きの家屋を示す側面図であり、図２（ｂ）は上記実施形態の避難シェルタの斜視図である。
本発明の避難シェルタ付きの家屋１は、木造２階建て構造であり、その１階に避難シェルタＨ１が配置されている。屋根８は、避難シェルタＨ１が脱出し易いように、外れ易い構造や、一部開放の脱出部を設けておいても良い。
避難シェルタＨ１は、鋼鉄製であり、防火、防水態様になっている。避難シェルタＨ１は、台所として普段使用することを想定している。このため、台所ユニットＵ１を少なくとも備えるが、洗面ユニットＵ２、浴槽ユニットＵ３が設置されていても良く（図３（ａ）（ｂ）（ｃ））、屋内の一室として兼用可能な避難シェルタＨ１である。
【００２３】
避難シェルタＨ１は、屋内の一室として兼用可能なものであり、木造の木材よりも強度の強い材質（鋼鉄製）である。避難シェルタＨ１は、地震や津波等で、木造の家屋１が倒壊したり損傷しても、鋼鉄製陶の避難シェルタＨ１は、損傷したりすることなく、その内部の人命を守るものになっている（図４（ｂ））。
【００２４】
避難シェルタＨ１は、完成している家屋１の内部において連結されて組み立てられる（図９（ａ）（ｂ））。完成した家屋の中で組み立てるときは、家屋の柱９や壁と接するように避難シェルタＨ２を構築すると、家屋１の補強構造にもなる（図５（ａ）（ｂ）（ｃ））。床板ｈ１と天板ｈ４と側壁板ｈ３とこれらを連結する柱ｈ２を備えて、組み立てられる。避難シェルタＨ２の柱ｈ３は、家屋１の梁や柱９に当接させるように配置しても良い。このように組み立てることで、家屋１の補強が図られる。
【００２５】
ここで、土砂崩れなどの災害時には隣室に移動し易くするための移動用案内壁１３、１４が配される構造にしても良い（図６（ａ）（ｂ））。移動用案内壁１４には、段差を設けるなどして、避難シェルタＨ２が移動しやすい構造にすることが好ましい（図５（ａ）（ｂ）（ｃ））。なお、本明細書においては、一階も二階も２部屋ずつの例で示すために、「隣室」とは、隣の部屋しかないが、３部屋以上の部屋がある場合は、その部屋も「隣室」になるものとする。そして、避難シェルタＨ１は、この場合の３部屋目の空間部にも移動可能である。避難シェルタＨ１の形状は、立方体形状や直方体形状であるが、これは家屋１の収納スペースに対応した形状になっている。
また、津波が来た時の浮上方式としては、移動用案内壁１１，１２に沿って浮上させることができる構造とすることができる（図６）。移動用案内壁１１，１２は、建物の柱や壁９に沿って二階の空き空間Ｓ２に移動し易くして、津波や豪雨の非常時は侵入した水に浮いて、上方の空間部Ｓ２に向かって移動し易くしたりする。移動用案内壁１１，１２は、凸状の段差に対応して突出部ａを設けたり、段差を有する移動用案内壁３ａの段差部に接合する突出部ａ，ｂが設けたり、また、土台７の上にも、凸状の段差に対応して突出部ａ，ｂを設ける等して、避難シェルタＨ１が移動しやすい構造にできる。図２（ａ）と図４（ａ）において、符号３ａ，３ｂと、符号６ａと６ｂは、前記移動用案内壁１１，１２，１３，１４の収納スペースを表示する。なお、移動用案内壁１４にレールを設けて、隣室の方向に移動させやすくしても良い。
図６（ｂ）は、避難シェルタＨ１を隣室の方向に移動しやすくする構造である。移動用案内壁１３，１４の間を移動できるものであり、移動用案内壁１３，１４に、段差部や突出部ａ，ｂを設けて移動がしやすくする構造である。上記突出部ａ，ｂは、除去したり、外したりすることが可能であり、又、避難シェルタＨ１の室内等に引き込むことが可能であり、これらにより避難シェルタＨ１が元の立方体形状や直方体形状になる。また、上記突出部ａ，ｂと段差部ｃとの係止により、避難シェルタＨ１の移動が係止状態にもできる構造である。これらは、避難シェルタＨ１の側面側に設けることも可能である（図１９（ｃ））。
また、家屋１を支える柱や壁９と、避難シェルタの柱や壁は互いに添わせるようにしたり、解除可能な連結部材（コーナー材）ｃを介して、地震等でも避難シェルタＨ１が移動しないよう停止した状態にしておくことが好ましい。
本実施の形態では、避難シェルタＨ１は、鋼鉄製の天板ｈ２と土台７の上には鋼鉄製の板材１４が配置され、避難シェルタＨ１の上（１階と２階の間）には、鋼鉄製の天板１３が配置され、避難シェルタＨ１はこれら上下の鋼鉄製板１３，１４の間を移動しやすい構造になっている。避難シェルタＨ１は、移動し易くするために、建物１の柱９と柱９，９の間の寸法内に収まる大きさであり、浮上・移動の際に柱９に遮られないようになっている。
図５（ｂ）は、家屋１を支える柱９に凹部９ａを形成して、避難シェルタＨ１が移動しやすくする構造である。これは、家屋の壁や梁との関係でも同じような構造にできる。すなわち、符号３ａ，３ｂ，６ａ，６ｂは、家屋の梁や壁の位置を示すものとすることもできる。
図５（ｃ）は、家屋１を支える柱９との間に配される連結部材（コーナー材）ｃを介して、家屋の柱９と連結状態にした構造である。これらも家屋１の上記壁や梁との関係でも同じような構造にできる。上記連結部材（コーナー材）ｃは、その連結状態が解除されて（木材など損傷しやすい部材で構成されて解除されて）、避難シェルタＨ１の移動が可能になったり、或いは、上記連結部材（コーナー材）ｃは、避難シェルタＨ１と一体的な部材として、家屋１の柱９とは分離する構造にしたり、避難シェルタＨ１の移動を防止するストッパとしても使用することができる。
また、図７（ａ）（ｂ）は、避難シェルタＨ１を、家屋１の床６ｂや天井３ａの内部や柱や壁９の内部を利用して連結されて組み立てられている例である。津波や洪水になり、家屋１の壁や柱９が倒壊したりすると、鋼鉄製等の避難シェルタＨ１がその姿を表し、洪水などの水により上昇するが（図７（ｂ））、日常生活では避難シェルタＨ１の存在自体を認識することがなく、救命される。
【００２６】
家屋１は上方階を有する複数階構造であり、前記避難シェルタＨ１は、複数階の下方の一方の部屋（台所）として配置されており、津波や洪水などの災害時には複数階の上方の空間（２階の吹き抜け空間）Ｓ２に移動できる構造になっている（図８（ａ））。家屋の柱９に沿って、避難シェルタＨ１を移動し易くするための移動用案内壁１１，１２が設けられている。また、二階との間に配置される床板１３には、避難シェルタＨ１が通過できる通過穴Ｓが形成されている。通過穴Ｓは、これを塞ぐ蓋を設けても良いが、避難シェルタＨ１の天板ｈ２を二階の床板として使用することも可能である（図８（ｂ））。
移動用案内壁１１，１２は、建物の柱９に沿って二階の空間Ｓ２に移動し易くしているため、津波や豪雨の非常時は侵入した水に浮いて、上方の空間部Ｓ１に向かって移動し易くしたりする。移動用案内壁１１，１２には、レールを設けて移動を更に容易にしても良い。このため、火災や土砂崩れなどの災害時には隣室Ｓ２に移動し易くする。なお、避難シェルタを外部に押し出すことも可能である。
【００２７】
ここで、避難シェルタＨ１としては、床板Ｈ１と天板ｈ２と側壁板ｈ３とを備えた密閉構造であり、出入り口は密閉構造の出入り口Ｈｄが設けられている。
津波や洪水などの災害時には、前記引き戸ｈ４の方式では、これを閉めて、防水・防火扉ｈ５を閉めて、密閉構造の開閉可能な構造にしている（図１５（ａ）（ｂ））。このため、避難シェルタＨ１は、隣室Ｓ２とは連続的に使用することができる。鋼鉄板の外側には、防水兼防火用の扉ｈｃ２が取付けることも可能である。
また、避難シェルタＨ１としては、側面板ｈ３の上方が開口されていても良く（図１２（ａ））、防水態様になっている。引き戸方式の鋼鉄板の外側には、防水兼防火用の扉ｈｃ２が取付けられている。
【００２８】
他の避難シェルタＨ２としては、引き戸ｈ５を閉めて、防水・防火扉ｈｄ２を閉めると、密閉構造の避難シェルタになる（図１５（ａ）（ｂ））。このため、第１の実施の形態のように、津波や洪水などの水の侵入によって浮上する構造である。この引戸方式では、引き戸ｈ５が取り外し可能になっている。引き戸方式にすると、隣室Ｓ２とは連続的に有効な使用することができる。本実施の形態では、普段の生活では、引き戸ｈ５を開けて隣室Ｓ２と連結させて使用することができる。なお、引き戸方式の避難シェルタＨ２は、その２組を連結させて一つの部屋として、普段の生活に使用することも可能である。
また、避難シェルタＨ１の天板ｈ４の上に二階の床板１３と連結する連結部材１４を備える構造にしても良い（図１２（ｂ））。
また、その他の避難シェルタＨ１としては、側壁板ｈ３は上方が開口するタイプでも良い（図１３（ａ））。下方側のみがその周囲が鋼鉄板等で囲まれていると（側壁板ｈ３ａがあると）、津波や洪水で浮上する構造にできる。そして、上方が開口するタイプでも、上方からフタをすることで、開口が密閉可能である（図１３（ｂ））。すなわち、上方の階に二階の床板１３となる避難シェルタＨ１ｂが配置されており、津波の水が侵入して避難シェルタＨ１を浮上させると、上記避難シェルタＨ１ｂが蓋をして密閉する二重構造になる。
また、その他の避難シェルタＨ１としては、第１の避難シェルタＨ１ａに、第２の避難シェルタＨ１ｂとが連結できる連結構造としても良い（図１４（ａ）（ｂ））。この連結構造の使用例としては、隣室同士の連携した一体的な使用が可能になる。すなわち、第１の避難シェルタＨ１ａには、背面の側板ｈ３ａはないが、第２の避難シェルタＨ１ｂには背面があり、これらＨ１ａと，Ｈ１ｂとが連結できることにより、４周面（４側面）が完成する構造である（図１４（ａ）（ｂ））。なお、図１４（ｂ）からは一側面が描かれていないが、これは背面ｈ３ａを表示したためであり、実際には存在する。この連結構造の使用例としては、隣室同士の連携した一体的な使用が可能になる。仮に、避難シェルタＨ１ａ，ｈ１ｂの一室が不要な場合は、上記二重構造にして収納する構造にもする。すなわち、隣室同士で避難シェルタＨ１ａ，ｈ１ｂが配置されており、一方を移動させると重なって二重構造になる。
また、他の避難シェルタＨ１としては、外壁（側壁板）ｈ３に覗き窓ｈｍが設けられていたり（図１６（ａ）（ｂ））、上方からシャッター構造ｈｓが降下して隣室側を密閉したりすることも可能である（図１７（ａ））。また、外壁ｈ３にＳＯＳの文字が記載されたものにしても良い（図１７（ｂ））。また、避難シェルタＨ２には、津波で流された場合に備えて、スクリューやモータを備えることも可能である。
【００２９】
（第３の実施の形態）
図１８（ａ）（ｂ）から図２１（ａ）（ｂ）は、本発明の第２の実施形態である避難シェルタＨ２を示す図である。
本実施の形態の避難シェルタＨ２は、鋼鉄製であり、防火、防水態様になっている。図２０（ａ）（ｂ）と図２１（ａ）（ｂ）の例では、密閉構造のドア方式を採用している。この密閉構造の出入り口（開閉ドア）Ｈｄは、避難シェルタＨ２の周壁のどの面に取付けられていても良いが、隣室側Ｓ２に向かって取付けるときは、隣室との連携した使用を可能にするためには、大きめの密閉構造の出入り口（開閉ドア）Ｈｄとすることが好ましい。図２１（ａ）の例では、防水パッキン等で覆われた密閉構造のドア方式であり、アコーディオン方式に開閉の大きさを調整可能な構造を採用している。図２１（ａ）の例では、２つの部屋を備える避難シェルタＨ２になっている。密閉構造の出入り口（開閉ドア）Ｈｄは、避難シェルタＨ２の周壁のどの面に取付けられていても良いが、隣室側Ｓ２に向かって取付けるときは、隣室との連携した使用を可能にするためには、大きめの密閉構造の出入り口（開閉ドア）Ｈｄとすることが好ましい。
避難シェルタＨ１の形状は、立方体形状や直方体形状であるが、これは家屋１の収納スペースに対応した形状になっている。第１の実施の形態と同様、前記移動用案内壁１１から１４を凸状の段差に対応して突出部ａを設けることができる。また、避難シェルタＨ２の外壁に覗き窓ｈｍが設けられていたり、空気穴が設けられていたりしても良く、又、避難シェルタＨ２には、津波で流された場合に備えて、スクリューやモータを備えることも可能である。
本実施の形態では、隣家の火災や土砂崩れ等の場合は、避難シェルタＨ２を数人で押すか、土砂崩れの場合は、土砂の押圧がかかると、避難シェルタＨ２は、移動用案内壁１３，１４の間に沿って隣室に向かって移動できる構造である。土砂崩れの場合は、土砂の押圧がかかると、避難シェルタＨ２は、移動用案内壁１３，１４の間に沿って隣室の方向に向かって移動するようになっている。隣室Ｓ２に向かって移動可能にするための移動用案内壁１３，１４にレール等が設けられていても良い（図８（ａ）（ｂ））。
移動する方向としては、隣室に向かう方向で移動することができる（図１８（ａ））、玄関口の部屋（間取り）は比較的置物等が少なく、空間部が形成しやすいが、玄関口の方向に移動させることも可能であり（図１８（ａ））、また、図１８（ｂ）に示すように、後方側に移動させることもできる。また、上記後方に移動した避難シェルタＨ１を玄関口のスペースに回るように移動させることも可能である。なお、玄関の部屋を構成する壁には、鋼鉄製の側面板４が設けられているか、又は、鋼鉄製板が配された壁が設けられて、避難シェルタＨ２の一側壁を開口しておき、上記鋼鉄製の側面板４との組み合わせで、密閉構造とする避難シェルタＨ２として構成することも可能である。このような組み合わせで、避難シェルタＨ２の一側面を開口するが、移動して上記鋼鉄製の側面板４との組み合わせで、密閉構造とする避難シェルタＨ２として構成することも可能である。
本実施の形態では、隣室Ｓ２に向かって移動可能にするための移動用案内壁１３，１４が設けられ（図８（ａ）（ｂ））、隣家の火災や土砂崩れ等の場合は、避難シェルタＨ２を数人で押すか、土砂崩れの場合は、土砂崩れの押圧がかかると、避難シェルタＨ２は、移動用案内壁１３，１４の間に沿って隣室に向かって移動できる構造である。また、土砂崩れの場合は、土砂の押圧がかかると、避難シェルタＨ２は、移動用案内壁１３，１４の間に沿って隣室の方向に向かって移動する。なお、移動用案内壁１３の上方には、家屋１の梁や壁があって、これらに移動用案内壁１３が連結されている。
【００３０】
（第４の実施の形態）
図２２（ａ）（ｂ）は、本発明の第４の実施形態である避難シェルタ付きの家屋を示す側面図である。
本実施の形態の避難シェルタＨ３は、避難シェルタＨ３の上方に配置される避難シェルタＨ４と階段Ｕｋで連結されている。二階の避難シェルタＨ４には、その開閉口Ｕｊに階段Ｕｋが連結されて、１階の避難シェルタＨ３と連結されている。避難シェルタＨ３と二階の避難シェルタＨ４は、隣の部屋に向かっての空間部Ｓ２，Ｓ４に各々移動可能になっている。また、２階の避難シェルタＨ４を隣の空間部Ｓ４に移動させると、１階の避難シェルタＨ３は、津波や豪雨の非常時は侵入した水に浮いて、上方の空間部Ｓ１に移動させることも可能である。なお、避難シェルタを家屋１の外部に押し出すことも可能である。
【００３１】
（第４の実施の形態）
図２４（ａ）（ｂ）と図２５（ａ）（ｂ）は、本発明の第５の実施形態である避難シェルタ付きの家屋を示す図である。
本実施の形態の避難シェルタは、玄関口に配される避難シェルタＨ６ａと、その上方に配置される避難シェルタＨ６ｂとを備え、別々に使用することも可能であるが、１階の避難シェルタＨ６ａの内部に二階の避難シェルタＨ６ｂを収納して、二重構造の避難シェルタＨ６ａ，Ｈ６ｂとしても使用可能になっている。すなわち、１階の避難シェルタＨ６ａは、玄関口用であり、玄関口のドアが取付けられており、その避難シェルタＨ６ａの内部は空間部（床面のみの構造）になっている。そして、天板を外すと、二階の避難シェルタＨ６ｂが内部に入れることが可能である。玄関口の部屋（間取り）は比較的置物等が少なく、空間部が形成しやすく、避難シェルタの設置スペースとしては好適である。
【００３２】
（第６の実施の形態）
図２６（ａ）（ｂ）は、本発明の第６の実施形態である避難シェルタ付きの家屋を示す図である。
本実施の形態の避難シェルタＨ７は、最上階である二階に配置されるものであり、横方向に移動して、外部に出易（排出し易い）位置に避難シャルタＨ７が配置されている。この二階の部屋には、避難シェルタＨ７が配置されていることにより、二重の耐火ボードＢ１等が配されている。そして、二階（最上階）において、避難シェルタＨ７は、外側の部屋の内部に配置される。
避難シェルタＨ７は、建物を建てるときに組み込まれるものであるが、完成している家屋１の内部において連結されて組み立てることも可能である（図８（ａ）（ｂ））。床板ｈ１と天板ｈ４と側壁板（壁）ｈ３とこれらを連結する柱ｈ２を備えて、避難シェルタの柱ｈ３は、家屋１の梁や柱９に当接させるように配置しても良い。また、浮力材を配置して津波等の災害の時に浮上して救難活動できるようにされている。このように組み立てることで、家屋１の補強が図られる。完成した家屋の中で組み立てるときは、家屋の柱９や壁と接するように避難シェルタＨ７を構築すると、家屋１の補強構造にもなる（図２６（ｂ））。避難シェルタＨ２には耐火ボードＢ１が配されている。また、離脱フックＲＦを解除すると、避難シェルタＨ７が家屋１から解除されて、離れることができる。離脱フックＲＦのほか、ロープによる連結や解除でも良い。避難シェルタＨ７には耐火ボードＢ１が配されている。また、津波が来た時の浮上しやすくするために浮力材Ｆ９が天板ｈ４と側壁板（壁）ｈ３等に取付けられている。また、発電設備や水道や配水管との連結手段５ａ，５ｂが床板ｈ１に取付けられている。また、図２６（ａ）（ｂ）に示すように、本実施の形態の避難シェルタＨ７は、外周面を耐火ボードＢ１で保護している。耐火材（耐火ボード）Ｂ１兼用のフロート材Ｆａを用いても良い。
また、図２６（ａ）に示すように、隣室との境の壁がドア（第１のドア）Ｄ１１として、その中に第２のドアＤ１２が設けられており、隣室との境全体が解放連結される構造にすることもできる。また、窓は第１サッシ窓（建物の窓）Ｓ１１と避難シェルタ第２のサッシ窓Ｓ１２の二重構造になっている。このような構造、すなわち二重のサッシ構造、更には二重のドア構造や二重の窓構造というような二重構造であるために、断熱や補強性能が高い構造になっている。
上記第６の実施の形態では、前記第１から第６の実施形態を利用することができ、移動用案内壁１１〜１４に沿って移動させることも可能である。また、最上階に配置するが、下方に移動させる構造にすることも可能である。
【００３３】
以上、本発明の実施の形態では、家屋１に配置される１つか２つの避難シェルタで説明したが、家屋１の各部屋に対応して避難シェルタを各々配置することも可能であり、連結させたり、収納させたり、又は、不要なものを外部に排出させたり等して、多様な使用状態を得ることも実施に応じて可能である。避難シェルタ内部に配置されるものとしては、その他、毛布、ふとん等の寝具類、水や米などを保管する食料庫、冷蔵庫、吸排気の換気扇、発電機、モータ付きのスクリュウや操舵装置、テレビやラジオやインターネット環境等の設備、通信設備等を備えても良い。避難シェルタの大きさとしては小型のものとしても良く（９ｍ２〜１２ｍ２）、７日程度家族数人が生活できれば良い構造であることが好ましい。
【符号の説明】
【００３４】
１                          避難シェルタ付きの家屋、
９                          柱や壁、
１３                        備蓄貯蔵庫、
ａ，ｂ，ｃ                  突出部（段差部、段差構造）、
ｃ                          連結部材（コーナー材）、ストッパ、
Ｕ１                        台所ユニット、
Ｕ２                        洗面（トイレ）ユニット、
Ｕ３                        バス（浴槽）ユニット、
ａ，ｂ，ｃ，３ａ，３ｂ，６ａ，６ｂ      移動用案内壁の設置空間（梁や壁）、
３ｂ                        天井（天板）、
６ａ                        床（床板、床材）、
１１，１２                  移動用案内壁（上下移動用）、
１３，１４                  移動用案内壁（横移動用）、
１９                        浮力材（フロート材）、
Ｈ，Ｈ１、Ｈ２，Ｈ３、Ｈ４，Ｈ５，Ｈ６ａ，Ｈ６ｂ，Ｈ７      避難シェルタ、
ｈ１                        柱、      ｈ２                床板、
ｈ４                        天板、    ｈ３            側壁板（側板）、
ｈｍ                        覗き窓、ｈｎ          空気穴、
ｈｄ                        ドア（密閉式の開閉口）、
ｈ４                         引き戸、ｈ５        耐火・防水ドア、
Ｓ１                        ２階の空間部（２階の吹き抜け）、
Ｓ２                        隣室の空間部（隣室方向の空間部）、
Ｂ１                    耐火ボード
【図１】
2018017114.tif 000003
【図２】
2018017114.tif 000004
【図３】
2018017114.tif 000005
【図４】
2018017114.tif 000006
【図５】
2018017114.tif 000007
【図６】
2018017114.tif 000008
【図７】
2018017114.tif 000009
【図８】
2018017114.tif 000010
【図９】
2018017114.tif 000011
【図１０】
2018017114.tif 000012
【図１１】
2018017114.tif 000013
【図１２】
2018017114.tif 000014
【図１３】
2018017114.tif 000015
【図１４】
2018017114.tif 000016
【図１５】
2018017114.tif 000017
【図１６】
2018017114.tif 000018
【図１７】
2018017114.tif 000019
【図１８】
2018017114.tif 000020
【図１９】
2018017114.tif 000021
【図２０】
2018017114.tif 000022
【図２１】
2018017114.tif 000023
【図２２】
2018017114.tif 000024
【図２３】
2018017114.tif 000025
【図２４】
2018017114.tif 000026
【図２５】
2018017114.tif 000027
【図２６】
2018017114.tif 000028